(57)【要約】【課題】撮影者に違和感を与えることがなく、また画像処理回路に負担をかけることなく傾き補正画像を作成することができる撮像装置を提供する。【解決手段】本発明に係わる撮像装置（１）は、被写体画像データを出力する撮像手段（１１）と、前記被写体画像データから主表示画像を生成する画像処理手段（１２）と、操作入力手段（３０）と、前記撮像手段の傾き角度を検出する傾き角度検出手段（７０）と、検出された傾き角度に応じて回転され、前記撮像手段が傾き制限角度まで傾いたときに前記主表示画像に最大外周で内接する矩形の表示枠を有する枠画像を作成する枠画像作成手段（８０）と、前記主表示画像と前記枠画像とを合成して副表示画像を作成する副表示画像作成手段（８０）と、表示手段（５０）と、前記撮像手段の傾き角度に基づいて、水平方向の傾きを補正した傾き補正画像を作成する傾き補正画像作成手段（８０）と、を備える。【選択図】図１
2011087133.tif 000002
【特許請求の範囲】
【請求項１】
被写体像を撮像して被写体画像データを出力する撮像手段と、
前記被写体画像データから主表示画像を生成する画像処理手段と、
撮影者の操作入力を取得する操作入力手段と、
前記撮像手段の水平方向に沿った傾き角度を検出する傾き角度検出手段と、
前記傾き角度検出手段によって検出された傾き角度に応じて回転する画像であって、前記撮像手段が傾き制限角度まで傾いたときに前記主表示画像に最大外周で内接する矩形の表示枠を有する枠画像を作成する枠画像作成手段と、
前記主表示画像と前記枠画像とを合成して、副表示画像を作成する副表示画像作成手段と、
少なくとも前記副表示画像を表示する表示手段と、
前記操作入力手段に対する操作入力により撮像が指示されたときは、前記傾き角度検出手段で検出された前記撮像手段の傾き角度に基づいて、前記撮像手段で撮像された被写体画像データの前記表示枠に対応する画像の水平方向の傾きを補正した傾き補正画像を作成する傾き補正画像作成手段と、
を備えることを特徴とする撮像装置。
【請求項２】
請求項１に記載の撮像装置であって、
前記枠画像作成手段は、前記表示枠の外周と前記主表示画像の外周との間をマスクするマスク画像領域を前記枠画像に付加し、前記傾き角度検出手段で検出された前記撮像手段の傾き角度に応じて、前記表示枠の外周と前記主表示画像の外周との間がマスクされるように前記マスク画像領域を変化させることを特徴とする撮像装置。
【請求項３】
請求項２に記載の撮像装置であって、
前記副表示画像作成手段は、前記主表示画像のうち前記表示枠に対応する画像領域のみが前記表示枠に表示されるよう前記主表示画像と前記枠画像とを合成して、前記副表示画像を作成することを特徴とする撮像装置。
【請求項４】
請求項１〜３のいずれか一項に記載の撮像装置であって、
前記傾き角度検出手段で検出された前記撮像手段の傾き角度が前記傾き制限角度に近接したときに、撮影者に対し警告を発する警告手段を備えることを特徴とする撮像装置。
【請求項５】
請求項１〜４のいずれか一項に記載の撮像装置であって、
前記傾き角度検出手段で検出された前記撮像手段の傾き角度が前記傾き制限角度を超えた場合に、
前記枠画像作成手段は、前記傾き制限角度を前記撮像手段の傾き角度として枠画像を作成し、
前記傾き補正画像作成手段は、前記傾き制限角度に基づいて、前記撮像手段で撮像された主表示画像の前記表示枠に対応する画像の水平方向の傾きを補正した傾き補正画像を作成することを特徴とする撮像装置。
【請求項６】
請求項１〜４のいずれか一項に記載の撮像装置であって、
前記傾き角度検出手段で検出された前記撮像手段の傾き角度が前記傾き制限角度を超えた場合に、
前記枠画像作成手段は、前記傾き角度検出手段によって検出された傾き角度に応じて回転する画像であって、当該傾き角度で生成された前記主表示画像に最大外周で内接する矩形の表示枠を有する枠画像を作成することを特徴とする撮像装置。
【請求項７】
請求項１〜６のいずれか一項に記載の撮像装置であって、
前記傾き制限角度は、前記操作入力手段に対する操作入力により変更可能であることを特徴とする撮像装置。
【請求項８】
請求項１〜６のいずれか一項に記載の撮像装置であって、
前記傾き制限角度は、前記操作入力手段に対する操作入力により設定された撮影モードに応じて変更されることを特徴とする撮像装置。
【発明の詳細な説明】
【技術分野】
【０００１】
本発明は、撮像装置に関するものである。
【背景技術】
【０００２】
デジタルカメラやデジタルビデオカメラ等の撮像装置において、カメラ本体に水平方向の傾き、すなわちレンズの光軸回りに回転が生じると、撮影した画像が傾いてしまう。そこで、撮影時における画像の傾きを防止、或いは自動で補正する技術が提案されている。
【０００３】
例えば、カメラのモニタ上に水平ガイドラインを表示し、撮影者が自らカメラを回転させることで水平出しを行うようにしたカメラが提案されている（特許文献１参照）。また、カメラの姿勢を検出し、この検出値に基づいて画像の傾きを修正するようにした撮像装置が提案されている（特許文献２参照）。更に、撮影した画像から傾きを修正した補正画像を生成するとともに、撮影時にズームレンズを連動させることにより、画角が狭くなることを抑制しつつ、傾きを補正するようにした画像生成装置が提案されている（特許文献３参照）。
【先行技術文献】
【特許文献】
【０００４】
【特許文献１】特開２００２−２７１６５４号公報
【特許文献２】特開２００５−３４８２１２号公報
【特許文献３】特開２００６−２７９３７３号公報
【発明の概要】
【発明が解決しようとする課題】
【０００５】
上記特許文献１のカメラでは、撮影者が水平出しに気をとられ、撮影に集中することができず、シャッタチャンスを逃すおそれがある。また、特許文献２の撮像装置では、画像の傾きを補正することにより、画角が狭くなってしまう。しかも、画像の傾き度合いによって、撮影範囲に内接する画面枠の大きさが変化する。すなわち、画像の傾きに応じて画角が変化してしまう。
【０００６】
一方、特許文献３の画像生成装置では、上記のような不具合を生じることないが、以下のような課題がある。
【０００７】
カメラ背面のモニタに補正後の画像が表示されるが、この画像はカメラに対して正位置で表示される。すなわち、カメラは傾いているにもかかわらず、モニタには傾いていない画像が表示される。したがって、カメラを水平にしない限りは実際の景色とは異なる角度の画像が表示されることになり、撮影者に違和感を与える。また、モニタへ画像を表示する場合、記録の有無にかかわらず、常に傾いた画像から水平な画像への画像変換処理が必要となる。このため、ＣＰＵの負担が大きくなり、消費電力も増大する。
【０００８】
本発明の課題は、撮影者に違和感を与えることがなく、また画像処理回路に負担をかけることなく傾き補正画像を作成することができる撮像装置を提供することにある。
【課題を解決するための手段】
【０００９】
本発明は、以下のような解決手段により前記課題を解決する。なお、理解を容易にするために、本発明の実施形態に対応する符号を付して説明するが、これに限定されるものではない。
請求項１に記載の発明は、被写体像を撮像して被写体画像データを出力する撮像手段（１１）と、前記被写体画像データから主表示画像を生成する画像処理手段（１２）と、撮影者の操作入力を取得する操作入力手段（３０）と、前記撮像手段の水平方向に沿った傾き角度を検出する傾き角度検出手段（７０）と、前記傾き角度検出手段によって検出された傾き角度に応じて回転する画像であって、前記撮像手段が傾き制限角度まで傾いたときに前記主表示画像に最大外周で内接する矩形の表示枠を有する枠画像を作成する枠画像作成手段（８０）と、前記主表示画像と前記枠画像とを合成して、副表示画像を作成する副表示画像作成手段（８０）と、少なくとも前記副表示画像を表示する表示手段（５０）と、前記操作入力手段に対する操作入力により撮像が指示されたときは、前記傾き角度検出手段で検出された前記撮像手段の傾き角度に基づいて、前記撮像手段で撮像された被写体画像データの前記表示枠に対応する画像の水平方向の傾きを補正した傾き補正画像を作成する傾き補正画像作成手段（８０）と、を備えることを特徴とする撮像装置（１）である。
請求項２に記載の発明は、請求項１に記載の撮像装置（１）であって、前記枠画像作成手段（８０）は、前記表示枠の外周と前記主表示画像の外周との間をマスクするマスク画像領域を前記枠画像に付加し、前記傾き角度検出手段で検出された前記撮像手段の傾き角度に応じて、前記表示枠の外周と前記主表示画像の外周との間がマスクされるように前記マスク画像領域を変化させることを特徴とする。
請求項３に記載の発明は、請求項２に記載の撮像装置（１）であって、前記副表示画像作成手段（８０）は、前記主表示画像のうち前記表示枠に対応する画像領域のみが前記表示枠に表示されるよう前記主表示画像と前記枠画像とを合成して、前記副表示画像を作成することを特徴とする。
請求項４に記載の発明は、請求項１〜３のいずれか一項に記載の撮像装置（１）であって、前記傾き角度検出手段（７０）で検出された前記撮像手段（１１）の傾き角度が前記傾き制限角度に近接したときに、撮影者に対し警告を発する警告手段（６０）を備えることを特徴とする。
請求項５に記載の発明は、請求項１〜４のいずれか一項に記載の撮像装置（１）であって、前記傾き角度検出手段（７０）で検出された前記撮像手段（１１）の傾き角度が前記傾き制限角度を超えた場合に、前記枠画像作成手段（８０）は、前記傾き制限角度を前記撮像手段（１１）の傾き角度として枠画像を作成し、前記傾き補正画像作成手段（８０）は、前記傾き制限角度に基づいて、前記撮像手段で撮像された主表示画像の前記表示枠に対応する画像の水平方向の傾きを補正した傾き補正画像を作成することを特徴とする。
請求項６に記載の発明は、請求項１〜４のいずれか一項に記載の撮像装置（１）であって、前記傾き角度検出手段（７０）で検出された前記撮像手段（１１）の傾き角度が前記傾き制限角度を超えた場合に、前記枠画像作成手段（８０）は、前記傾き角度検出手段によって検出された傾き角度に応じて回転する画像であって、当該傾き角度で生成された前記主表示画像に最大外周で内接する矩形の表示枠を有する枠画像を作成することを特徴とする。
請求項７に記載の発明は、請求項１〜６のいずれか一項に記載の撮像装置（１）であって、前記傾き制限角度は、前記操作入力手段（３０）に対する操作入力により変更可能であることを特徴とする。
請求項８に記載の発明は、請求項１〜６のいずれか一項に記載の撮像装置（１）であって、前記傾き制限角度は、前記操作入力手段（３０）に対する操作入力により設定された撮影モードに応じて変更されることを特徴とする。
なお、符号を付して説明した構成は、適宜改良してもよく、また、少なくとも一部を他の構成物に代替してもよい。
【発明の効果】
【００１０】
本発明によれば、撮影者に違和感を与えることがなく、また画像処理回路に負担をかけることなく傾き補正画像を作成することができる撮像装置を提供する。
【図面の簡単な説明】
【００１１】
【図１】実施形態に係わるデジタルカメラの構成を示すブロック図である。
【図２】（ａ）、（ｂ）は枠画像を説明するための模式図である。
【図３】傾き制限角度を設定するためのメニュー画面が表示された表示モニタとセレクタダイアルとを示す説明図である。
【図４】（ａ）〜（ｃ）は副表示画像を説明するための模式図である。
【図５】傾き補正表示モードにおけるカメラ制御部の処理手順を示すフローチャートである。
【発明を実施するための形態】
【００１２】
以下、図面を参照して、本発明に係わる撮像装置をデジタルカメラに適用した場合の実施形態について説明する。図１は、本実施形態に係わるデジタルカメラ（以下、カメラという）１の構成を示すブロック図である。図１に示すように、本実施形態のカメラ１は、撮像部１０、レンズ／機構部２０、操作部３０、メモリ４０、表示モニタ５０、警告ランプ６０、傾き角度検出部７０、カメラ制御部８０を備える。
【００１３】
撮像部１０は、撮像素子１１及び画像処理部１２を備える。撮像素子１１は、レンズ／機構部２０の撮影レンズ２１を通過した被写体光を電気信号に変換して出力する光−電気変換素子である。撮像素子１１から出力された電気信号は、画像処理部１２においてノイズ除去、Ａ／Ｄ変換、色補正処理、サイズ変更、符号化等のアナログ処理及びデジタル処理が施され、被写体画像データに変換される。
【００１４】
画像処理部１２は、傾き補正表示モードにおいて、被写体画像データに基づいて後述する主表示画像を生成する。この主表示画像は、被写体画像データと同じ画素数の画像であってもよいし、画素数を間引きした画像であってもよい。
【００１５】
レンズ／機構部２０は、撮影レンズ２１、絞りユニット２２、シャッタユニット２３、駆動制御部２４を備えている。撮影レンズ２１から入射した被写体光は、絞り値の大きさに開かれた絞りユニット２２、所定の露光時間で開口されたシャッタユニット２３を経て撮像部１０の撮像素子１１に導かれる。絞りユニット２２は、被写体光の光量を調節する部分であり、図示しない複数の絞り羽根を備えている。シャッタユニット２３は、被写体光の露光時間を調節する部分であり、図示しない複数のシャッタ羽根を備えている。駆動制御部２４は、例えば、焦点調節のために撮影レンズ２１を光軸方向に駆動するアクチュエータや、絞りユニット２２及びシャッタユニット２３を駆動するアクチュエータ等により構成される。
【００１６】
操作部３０は、撮影者がカメラ制御部８０に対して各種の指示を入力する際に操作する部分であり、撮影者の操作入力を取得する操作入力手段として機能する。本実施形態の操作部３０は、レリーズボタン３１と、セレクタダイアル３２とを備える。なお、操作部３０は、この他に図示しない各種の操作ボタンやダイアル等を備える。
【００１７】
レリーズボタン３１は、半押し操作及び全押し操作の２段階の操作が可能である。撮影者がレリーズボタン３１を半押し操作することにより、カメラ制御部８０に対して撮影準備信号が送信される。これにより、カメラ制御部８０は図示しない測距センサの出力に基づいて、自動的に主要な被写体にピント合わせを行うＡＦ（自動焦点）制御や、図示しない測光センサの出力に基づいて、自動的に露出を合わせるＡＥ（自動露出）制御等を行う。そして、撮影者がレリーズボタン３１を全押し操作することにより、カメラ制御部８０に対して撮影開始信号が送信される。これにより、絞りユニット２２、シャッタユニット２３が所定のタイミングで駆動され、撮像部１０において被写体光が撮像される。また、フラッシュ撮影時には、カメラ制御部８０により不図示の発光部に発光制御信号が出力される。
【００１８】
セレクタダイアル３２は、撮影者が、後述する傾き制限角度や撮影モード等を設定する際に使用する操作部材である。セレクタダイアル３２の構成と操作例については後に詳述する。
【００１９】
メモリ４０は、不図示のＥＥＰＲＯＭ、ＲＯＭ、ＤＲＡＭ等の記憶媒体により構成される。ＥＥＰＲＯＭは、カメラ１の電源がオフしても、記憶している情報を保持する不揮発性メモリであり、撮影者が操作入力した設定情報等が記憶される。ＲＯＭは、カメラ１の動作や制御に必要なプログラムのほか、このプログラムの実行に必要な初期値や設定値等が記憶されるメモリである。ＤＲＡＭは、カメラ１の電源がオフしたときに、記憶している情報が消去される揮発性メモリであり、撮像部１０から出力された被写体画像データや、画像処理部１２、カメラ制御部８０等が演算処理を行う際に用いるデータが一時的に記憶される。
【００２０】
また、図示していないが、カメラ１には、撮影済みの画像とそのデータを記録するメモリカードが装着される。このメモリカードは、カメラ１の不図示のカードスロットに着脱可能に装着される。またカメラ１には、上記メモリカードに対してデータの書き込みを行うための不図示の記録装置が設けられている。
【００２１】
表示モニタ５０は、液晶表示パネルからなり、カメラ１の背面又はファインダ内に配置される。表示モニタ５０には、撮像画像及び再生画像のほか、スルー画像を含む動画、又は各種メニュー画面、シャッタスピードや絞り値等の撮影条件等が表示される。また、表示モニタ５０には、傾き補正表示モードにおいて、後述する副表示画像が表示される。
【００２２】
警告ランプ６０は、ＬＥＤランプからなり、表示モニタ５０の近傍に配置される。警告ランプ６０は、傾き角度検出部７０で検出された撮像素子１１の傾き角度が傾き制限角度に近接したときに点灯（又は点滅）して、撮影者に対し警告を発する警告手段である。警告ランプ６０の点灯／非点灯は、後述するカメラ制御部８０により制御される。
【００２３】
傾き角度検出部７０は、角度センサにより構成され、撮像素子１１の水平方向に沿った傾き角度（θ）を検出する。
【００２４】
カメラ制御部８０は、カメラ１の各部を統合的に制御する集積回路であり、ＣＰＵを含むマイクロプロセッサにより構成されている。カメラ制御部８０は、不図示の測距センサの出力に基づいて、焦点調節のためのレンズ駆動量を演算し、これを駆動制御部２４に転送して、レンズ内モータ又はボディ内モータ（いずれも不図示）による撮影レンズ２１の焦点調節を制御する。また、不図示の測光センサの出力に基づいて、適正な露出制御値を演算するとともに、この露出制御値を駆動制御部２４に転送して、絞りユニット２２及びシャッタユニット２３による露出調節を制御する。同時に、撮像部１０における被写体光の撮像を制御する。更に、カメラ制御部８０は、フラッシュ撮影時において、不図示の発光部に発光制御信号を出力して、発光部における発光量を制御する。
【００２５】
また、カメラ制御部８０は、傾き補正表示モードが設定されると、傾き角度検出部７０で検出された傾き角度に応じて、カメラ１の水平方向の傾き度合いが分かる副表示画像を作成し、表示モニタ５０に表示する。そして、副表示画像が表示されている状態でレリーズボタン３１が全押し操作されると、カメラ１の水平方向の傾きを補正した傾き補正画像を生成し、これをメモリ４０に保存する。本実施形態のカメラ制御部８０は、本発明における枠画像作成手段、副表示画像作成手段、及び傾き補正画像作成手段としての機能を有する。
【００２６】
次に、傾き補正表示モードが設定されたときにカメラ制御部８０で生成される各種の画像について説明する。図２は、枠画像を説明するための模式図である。（ａ）は傾き制限角度を５°としたときの説明図、（ｂ）は傾き制限角度を１０°としたときの図である。ここでは、図２（ａ）を参照しながら説明する。図２（ａ）において、撮像範囲１０１は、撮像素子１１における有効撮像範囲を示している。主表示画像１０２は、画像処理部１２から出力された被写体画像データをもとに生成されたスルー画像である。主表示画像１０２の範囲は撮像範囲１０１と略一致する。図２（ａ）では、撮像素子１１（すなわちカメラ１）を傾き制限角度である５°まで傾けたときの主表示画像１０２を示している。この主表示画像１０２は、傾き補正表示モードにおいて、表示モニタ５０に表示される副表示画像の元になる画像であり、通常の撮影モードではスルー画像として表示される画像である。しかし、傾き補正表示モードにおいては、マスク画像領域１０５によりマスクされるため、表示モニタ５０にすべてが表示されることはない。
【００２７】
枠画像１０３は、傾き角度検出部７０によって検出された傾き角度に応じて、主表示画像１０２に対して回転する画像であって、撮像素子１１が傾き制限角度まで傾いたときの主表示画像１０２に最大外周で内接する矩形の表示枠１０４を有する画像である。また、枠画像１０３は、表示枠１０４の外周と主表示画像１０２の外周との間をマスクするマスク画像領域１０５を有する。本実施形態のマスク画像領域１０５は、主表示画像１０２と図中斜線で示す領域とが重なる領域を遮光する黒色（非透過）の領域である。カメラ制御部８０は、撮像素子１１の傾きが−５°〜０°〜＋５°までの間、傾き角度検出部７０により検出された傾き角度に応じて、表示枠１０４の外周と主表示画像１０２の外周との間がマスクされるように、マスク画像領域１０５の領域形状を変化させている。この間、表示枠１０４は、枠画像１０３の内部において常に水平を保つことになる。傾き制限角度を１０°とした図２（ｂ）の場合も同じである。
【００２８】
図２（ａ）に示すように、傾き制限角度を小さく設定した場合、表示枠１０４の範囲は大きくなるが、傾きが補正される角度範囲は狭くなる。また、図２（ｂ）に示すように、傾き制限角度を大きく設定した場合、表示枠１０４の範囲は小さくなるが、傾きが補正される角度範囲は広くなる。したがって、例えば、揺れの少ない三脚座にカメラ１を固定して撮影する場合は、傾き制限角度を小さくすることにより、より広範囲で撮影できると同時に、画素数も増えるので、より画質を向上させることができる。また、手持ち撮影等でカメラ１の傾きが大きくなると予想される場合は、傾き制限角度を大きくすることにより、撮影範囲を小さくして（画素数を減らして）画質を多少犠牲にしても、画像の水平を重視した撮影を行うことができる。このように、本実施形態のカメラ１によれば、撮影者は、撮影条件や被写体の大きさ等に応じて傾き制限角度を適宜に設定することにより、撮影意図に合った傾き補正を行うことができる。
【００２９】
ここで、傾き制限角度の設定方法について説明する。図３は、傾き制限角度を設定するためのメニュー画面が表示された表示モニタ５０とセレクタダイアル３２とを示す説明図である。図３に示すメニュー画面５１は、例えば、図示しないメニュー画面において、傾き補正表示モードを選択することにより表示される。また、表示モニタ５０とセレクタダイアル３２とは、カメラ１の背面において隣接して配置されている。
【００３０】
セレクタダイアル３２は、中央に配置されたＯＫボタン３３と、このＯＫボタン３３の周囲に配置された三角ボタン３４〜３７とを備える。撮影者が上下左右に配置された三角ボタン３４〜３７を指で押すと、その三角ボタンの方向が選択／設定方向として入力される。また、撮影者が中央のＯＫボタン３３を指で押すと、その時点での選択／設定内容で決定したことが入力される。
【００３１】
一方、表示モニタ５０に表示されたメニュー画面５１は、傾き制限角度を設定するための設定エリア５２と、傾き制限角度の範囲を示すバーグラフ５３が表示されている。撮影者は、セレクタダイアル３２の上下に配置された三角ボタン３４又は３５を所望の回数押すことにより、設定エリア５２に表示されている数値を増減させることができる。また、これと連動して、バーグラフ５３の矢印５４も移動する。そして、所望の数値を設定した時点でＯＫボタン３３を押すことにより、入力した数値を設定（登録）することができる。このメニュー画面５１により設定された傾き制限角度の設定値（α）は、カメラ制御部８０によりメモリ４０に保存される。なお、この実施形態では、傾き制限角度の設定範囲を０°〜１５°としたが、これに限定されるものではなく、設定範囲は実用的な範囲で適宜に定めることができる。
【００３２】
なお、傾き制限角度として０°を設定した場合、傾き補正表示モードであっても、通常の撮影モードと同じマスク画像領域１０５のないスルー画像が表示される。これは、傾き制限角度を設定することにより、画角が狭くなるのを好まない撮影者のために、選択された撮影モードにかかわらず出来る限り広角域で撮影できるようにするためである。
【００３３】
また、図示していないが、表示モニタ５０には、例えば、傾き補正表示モード、風景モード、スナップモード等の各種の撮影モードを選択するためのメニュー画面を表示させることができる。そして、撮影者は、セレクタダイアル３２を操作することにより、表示されている撮影モードの中から所望の撮影モードを選択することができる。
【００３４】
次に、カメラ制御部８０で生成される副表示画像について説明する。図４は、副表示画像を説明するための模式図である。（ａ）はカメラ１を時計回りに１０°傾けたとき、（ｂ）はカメラ１を水平にしたとき、（ｃ）はカメラ１を反時計回りに１０°傾けたときの、それぞれの副表示画像１０６を示している。カメラ制御部８０は、図２に示す主表示画像１０２と枠画像１０３とを合成して、図４の各分図に示すような副表示画像１０６を作成する。副表示画像１０６は、図２に示す主表示画像１０２において、枠画像１０３の表示枠１０４に対応する画像領域１０２ａのみが表示枠１０４から表示されるように作成された画像である。表示枠１０４の外周と主表示画像１０２の外周との間は、マスク画像領域１０５によりマスクされている。撮影者には、マスク画像領域１０５でマスクされた画像領域１０２ａのみが視認されることになる。画像領域１０２ａは、スルー画像である主表示画像１０２の一部である。
【００３５】
図４（ａ）又は（ｃ）に示すように、撮影者がカメラ１を時計回り又は反時計回りに傾けると、水平の傾いた主表示画像１０２に対して副表示画像１０６の表示枠１０４が回転し、見かけ上、水平を保った画像領域１０２ａが表示される。すなわち、撮影者がカメラ１を傾けると、カメラ１に対して主表示画像１０２の水平は傾くが、その傾きに合わせてマスク画像領域１０５が変化するため、表示モニタ５０には水平を保った画像領域１０２ａが表示されることになる。
【００３６】
この場合、カメラ１の傾きに応じて変化するのはマスク画像領域１０５だけであり、画像領域１０２ａに表示される画像は、通常のスルー画像の一部分となる。したがって、画像記録前において、副表示画像１０６を表示している間は、カメラ１の傾きに応じて黒色のマスク画像領域１０５のみを変化させればよいことになる。そして、このマスク画像領域１０５とスルー画像である主表示画像１０２とを合成することにより、水平を保った画像領域１０２ａを有する副表示画像１０６を作成ことができる。
【００３７】
このように、本実施形態のカメラ１では、マスク画像領域１０５と主表示画像１０２とを合成することにより副表示画像１０６を作成するようにしている。このため、画像記録前において、表示モニタ５０に副表示画像１０６を表示している間は、カメラ１に対して傾いた主表示画像１０２から水平な画像に変換するための画像変換処理が不要となる。したがって、カメラ制御部８０の負担が少なく、消費電力の増大も抑えることができる。
【００３８】
また、カメラ１の傾きに合わせて、マスク画像領域１０５の内側の表示枠１０４の傾きも変化するので、撮影者は、傾き制限角度に対して、カメラ１の傾きにどのぐらいの余裕があるのかを容易に判断することができる。
【００３９】
なお、図示していないが、図４（ｂ）から図４（ａ）の間、或いは図４（ｂ）から図４（ｃ）の間においても、カメラ１に対して傾いた主表示画像１０２に対して副表示画像１０６の表示枠１０４が回転し、見かけ上、水平を保った画像領域１０２ａが表示される。したがって、表示モニタ５０の画像領域１０２ａに表示される画像は、カメラ１の姿勢にかかわらず、常に水平が保たれる。このため、撮影者に違和感を与えることがない。
【００４０】
また、図４（ａ）又は（ｃ）に示すように、傾き角度検出部７０で検出された撮像素子１１の傾き角度が傾き制限角度（この例では１０°）に近接した場合は、カメラ制御部８０の制御により警告ランプ６０が点灯して、撮影者に傾き制限角度に近いことが警告される。したがって、撮影者は、安心して撮影に集中することができる。なお、撮像素子１１の傾き角度が傾き制限角度に近接していなければ、図４（ｂ）に示すように、警告ランプ６０は非点灯となる。
【００４１】
そして、図４（ａ）〜（ｃ）に示すいずれかの状態において、撮影者によりレリーズボタン３１が全押し操作されると、カメラ制御部８０は、傾き角度検出部７０で検出された撮像素子１１の傾き角度に基づいて、撮像素子１１で撮像された被写体画像データの表示枠１０４（図２）に対応する画像の水平方向の傾きを補正した傾き補正画像を作成する。すなわち、図４に示すように、カメラ１の傾き角度が傾き制限角度の範囲内であれば、実際の景色に対するカメラ１の傾きに係わらず、画角の変化を生じることがなく、且つ常に水平を保った傾き補正画像１０７が作成される。また、画像記録時において、表示モニタ５０の画像領域１０２ａに表示する画像はスルー画像でよいため、表示とは独立して画像変換処理及び記録を行うことができる。このため、カメラ制御部８０の負担が小さくなり、画像変換処理等の演算のために画像表示が遅延する等の不具合を生じることはない。
【００４２】
次に、上述した傾き補正表示モードにおけるカメラ制御部８０の処理手順を図５のフローチャートを参照しながら説明する。この傾き補正表示モードの処理は、撮影者がセレクタダイアル３２（図１）を操作して、傾き補正表示モードを選択することによりスタートする。
【００４３】
まず、ステップＳ１において、カメラ制御部８０は、傾き制限角度の設定値αを読み込む。次いで、ステップＳ２において、カメラ制御部８０は、傾き制限角度の設定値αに基づいて枠画像１０３（図２）を作成する。ステップＳ３において、カメラ制御部８０は、傾き角度検出部７０を介して傾き角度θを検出する。ステップＳ４において、カメラ制御部８０は、θ＋Δθ＞αかを判定する。ここで、Δθは、傾き制限角度の設定値αに付加されるマージン値である。このマージン値Δθを設けることにより、傾き角度検出部７０で検出された傾き角度が傾き制限角度に近接したことを判定することができる。
【００４４】
ステップＳ４の判定でＹＥＳであれば、ステップＳ５に進み、カメラ制御部８０は、警告ランプ６０を点灯させる。次いで、ステップＳ６において、カメラ制御部８０は、傾き角度θ≧設定値αかを判定する。このステップＳ６の判定でＹＥＳであれば、ステップＳ７へ進み、カメラ制御部８０は、設定値αを傾き角度θとする。すなわち、本実施形態では、傾き角度θが設定値α以上となった場合は、設定値αを傾き角度θとすることにより、出来る限り水平を保った傾き補正画像１０７を作成するようにしている。また、ステップＳ６の判定でＮＯであれば、後述のステップＳ９へ進む。
【００４５】
一方、ステップＳ４の判定でＮＯであれば、ステップＳ８へ進み、カメラ制御部８０は、警告ランプ６０を消灯する。ステップＳ９において、カメラ制御部８０は、スルー画像として撮像した主表示画像１０２と、ステップＳ２で作成した枠画像１０３とを合成して、副表示画像１０６を作成する。次に、ステップＳ１０において、カメラ制御部８０は、レリーズボタン３１が全押しされたかを判定する。このステップＳ１０の判定でＮＯであれば、ステップＳ２へ戻る。
【００４６】
また、ステップＳ１０の判定でＹＥＳであれば、ステップＳ１１へ進み、カメラ制御部８０は、撮像素子１１で撮像された被写体画像データの表示枠１０４に対応する画像の水平方向の傾きを補正した傾き補正画像１０７を作成する。更に、ステップＳ１２において、カメラ制御部８０は、作成した傾き補正画像１０７をメモリ４０（又は不図示のメモリカード）に保存して、本フローチャートの処理を終了する。
【００４７】
上記実施形態によれば、以下の効果を奏する。
（１）設定された傾き制限角度の範囲内であれば、カメラ１が傾いても、常に水平を保った傾き補正画像１０７が作成されるので、撮影者は水平出しに気をとられることがなく、撮影に集中することができる。このため、シャッタチャンスを逃すことも少なくなる。
（２）設定された傾き制限角度の範囲内であれば、画像の傾きを補正しても画角が狭くなることがない。また、傾きの度合いによって画角が変化することもない。したがって、撮影者の意図に沿った画角の画像を撮影することができる。
（３）設定された傾き制限角度の範囲内であれば、表示モニタ５０の画像領域１０２ａに表示される画像は、カメラ１の姿勢にかかわらず、常に水平が保たれる。このため、撮影者に違和感を与えることがない。
（４）マスク画像領域１０５と主表示画像１０２とを合成することにより副表示画像１０６を作成するようにしている。このため、画像記録前において、表示モニタ５０に副表示画像１０６を表示している間は、傾いた主表示画像１０２から水平な画像に変換するための画像変換処理が不要となる。したがって、カメラ制御部８０の負担が少なく、消費電力の増大も抑えることができる。
（５）カメラ１の傾きに合わせて、マスク画像領域１０５の大きさも変化するので、撮影者は、傾き制限角度に対して、カメラ１の傾きにどのぐらいの余裕があるのかを容易に判断することができる。
（６）傾き角度検出部７０で検出された撮像素子１１の傾き角度が傾き制限角度に近接した場合は、警告ランプ６０が点灯して、撮影者に傾き制限角度に近いことが警告されるので、撮影者は、安心して撮影に集中することができる。
（７）画像記録時において、表示モニタ５０の画像領域１０２ａに表示する画像はスルー画像でよいため、表示とは独立して画像変換処理及び記録を行うことができる。このため、カメラ制御部８０の負担が小さくなり、画像変換処理等の演算のために画像表示が遅延する等の不具合を生じることはない。
（８）傾き角度θが傾き制限角度の設定値α以上となった場合は、設定値αを傾き角度θとして傾き補正画像１０７を作成するようにしたので、出来る限り水平を保った傾き補正画像１０７を作成することができる。
（９）傾き制限角度は、セレクタダイアル３２等の操作入力手段に対する操作入力により変更可能なため、撮影者は、撮影条件や被写体の大きさ等に応じて傾き制限角度を適宜に設定することにより、撮影意図に合った傾き補正を行うことができる。
【００４８】
（変形形態）
以上説明した実施形態に限定されることなく、本発明は以下に示すような種々の変形や変更が可能であり、それらも本発明の範囲内である。
（１）本実施形態では、マスク画像領域１０５を黒色の遮光領域とし、主表示画像１０２の表示枠１０４に対応する画像領域１０２ａのみが表示枠１０４から表示される例を示している。しかし、この例に限らず、マスク画像領域１０５は半透過領域としてもよい。このようにした場合、撮影者は表示枠１０４の外周域に存在する被写体をも視認することができるため、構図の確認が容易になる。また、マスク画像領域１０５を透過領域とし、表示枠１０４のみを表示するようにしてもよい。このようにした場合は、副表示画像１０６の作成が容易なものとなり、カメラ制御部８０の負担をより少なくすることができる。また、消費電力も更に抑えることができる。
（２）検出された傾き角度θが傾き制限角度の設定値α以上となった場合に、その傾き角度θに基づいて枠画像１０３を作成するようにしてもよい。すなわち、検出された傾き角度θで生成された主表示画像１０２に最大外周で内接する矩形の表示枠を有する枠画像１０３を作成するようにしてもよい。このようにした場合、表示モニタ５０の画像領域１０２ａに表示される画像の画角は狭くなるが、水平を保った画像領域１０２ａを表示することができる。
（３）検出された傾き角度θが傾き制限角度の設定値α以上となった場合に、水平を保った画像領域１０２ａを表示せず、通常の撮影モードへ移行して、表示モニタ５０に水平の傾いた主表示画像１０２（スルー画像）をそのまま表示するようにしてもよい。すなわち、検出された傾き角度θが傾き制限角度の設定値α以上となった場合は、撮影者が意図的に水平の傾いた写真を撮ろうとしていると判断して通常の撮影モードへ移行することにより、撮影者の意図に沿った画像を撮像することができる。
（４）傾き補正表示モードは、他の撮影モードと併用されるモードであってもよい。例えば、傾き補正表示モードが設定されている状態で風景モードが設定された場合は、表示モニタ５０に自動的に副表示画像１０６を表示するようにしてもよい。
（５）傾き制限角度は、設定された撮影モードに応じて自動的に変更するようにしてもよい。例えば、撮影モードとして風景モードが設定された場合は、撮影レンズの広角側で撮影されることが予想されるため、自動的に傾き制限角度を小さくして、撮影範囲を大きくすることにより、画質を優先した撮影を行うことができる。
（６）撮影者に傾き制限角度に近いことを警告する手段は警告ランプ６０に限らず、例えば、表示モニタ５０にメッセージや警告マークを表示するようにしてもよい。或いは電子音による警告であってもよい。
（７）本発明における枠画像作成手段、副表示画像作成手段、及び傾き補正画像作成手段としての機能はカメラ制御部８０に限らず、画像処理部１２においてその一部又はすべてを実行するようにしてもよい。
（８）通常の撮影モードにおいて、特定の操作ボタンが押下されたときに、傾き補正表示モードに移行するようにしてもよい。
（９）傾き制限角度の設定値をα１、α２（＞α１）の２段階とし、α１〜α２の範囲では、表示モニタ５０の画像領域１０２ａに表示される画像の画角を傾き角度に応じて狭くし、α２（例えば４５°）を超えたら、縦位置の画像に切り替えるようにしてもよい。
【００４９】
また、上記実施形態及び変形形態は適宜に組み合わせて用いることができるが、実施形態の構成は図示と説明により明らかであるため、詳細な説明を省略する。更に、本発明は以上説明した実施形態によって限定されることはない。
【符号の説明】
【００５０】
１：カメラ、１１：撮像素子、１２：画像処理部、３０：操作部、３１：レリーズボタン、３２：セレクタダイアル、４０：メモリ、５０：表示モニタ、６０：警告ランプ、７０：角度検出部、８０：カメラ制御部
【図１】
2011087133.tif 000003
【図２】
2011087133.tif 000004
【図３】
2011087133.tif 000005
【図４】
2011087133.tif 000006
【図５】
2011087133.tif 000007